(57)【要約】      （修正有）【課題】光源ランプの交換時に、より低コストで確実に電源回路を遮断することができるランプユニット及びプロジェクタを提供する。【解決手段】光源ランプ１１１からの光を変調させて投写するプロジェクタにおいて、外カバー１０２内に配置され、光源ランプ１１１に電源電圧を供給する電源回路が形成された電源回路部１２１と、これに、挟持部１２３ａを介して接続されるヒューズＨと、外カバー１０２に取付けられるとともに、光源ランプ１１１の交換時に取外される蓋部１３１と、蓋部１３１に設けられ、ヒューズＨを貫入させてなる貫入孔１３３を備えた貫入部１３４と、ヒューズＨの端面が当接する当接部１３５を備えた固定部１３２と、蓋部１３１が取付けられた際にヒューズＨを収納する収納部１２４と、を備え、蓋部１３１が取付けられた際に、固定部１３２に固定されたヒューズＨが挟持部１２３ａに電気的に接続される。【選択図】図２
2006215138.tif 000002
【特許請求の範囲】
【請求項１】
光源ランプから照射された光を変調させて投写するプロジェクタにおいて、
機器本体内に配置され、前記光源ランプに電源からの電圧を供給してなる電源回路と、
前記電源回路に、電極を介して接続されるヒューズと、
前記機器本体に取付けられるとともに、前記光源ランプの交換時に取外される蓋部と、
前記蓋部に設けられ、前記ヒューズを貫入させてなる貫入孔を備えた貫入部と、前記ヒューズの一方の端面が当接してなる当接部と、を備えた固定部によって前記ヒューズが固定され、
前記蓋部に取付けられ、前記光源ランプに接続された電気配線部材に設けられた第１のコネクタ部と、
前記機器本体に設けられ、前記第１のコネクタ部に着脱自在に取付けられる第２のコネクタ部と、
前記機器本体内に備えられ、前記蓋部が取付けられた際に前記ヒューズを収納する収納部と、を備え、
前記蓋部が前記機器本体に取付けられた際に、前記固定部に固定された前記ヒューズが前記電極に電気的に接続され、
前記蓋部が前記機器本体から取外された際に、前記第１のコネクタ部から前記第２のコネクタ部が取外されることを特徴とするプロジェクタ。
【請求項２】
電子機器の機器本体内に備えられるランプユニットであって、
光源ランプと、
前記光源ランプに電源からの電圧を供給してなる電源回路と、
前記電源回路に、電極を介して接続されるヒューズと、
前記機器本体に取付けられるとともに、前記光源ランプの交換時に取外される蓋部と、
前記蓋部に設けられ、前記ヒューズを固定する固定部と、を備え、
前記蓋部が前記機器本体に取付けられた際に、前記固定部に固定された前記ヒューズが前記電極に電気的に接続されることを特徴とするランプユニット。
【請求項３】
請求項２に記載のランプユニットにおいて、
前記光源ランプに接続された電気配線部材に設けられた第１のコネクタ部が、前記蓋部に取付けられ、
前記第１のコネクタ部に着脱自在に取付けられる第２のコネクタ部が、前記機器本体に設けられ、
前記蓋部が前記機器本体から取外された際に、前記第１のコネクタ部から前記第２のコネクタ部が取外されることを特徴とするランプユニット。
【請求項４】
請求項２又は３に記載のランプユニットにおいて、
前記蓋部が前記機器本体に取付けられた際に、前記ヒューズを収納する収納部を、前記機器本体内に備えることを特徴とするランプユニット。
【請求項５】
請求項２〜４の何れか一項に記載のランプユニットにおいて、
前記固定部は、
前記ヒューズを貫入させてなる貫入孔を備えた貫入部と、
前記ヒューズの一方の端面が当接してなる当接部と、
を備えることを特徴とするランプユニット。
【発明の詳細な説明】
【技術分野】
【０００１】
本発明は、ランプユニット及びプロジェクタに関する。
【背景技術】
【０００２】
従来、画像データに基づいて画像を形成してなるプロジェクタで用いられる光源ランプは、使用時間の経過に伴って徐々に明るさが低下するため、定期的に交換する必要がある。
【０００３】
光源ランプの交換に際しては、感電等の事故を防ぐために、光源ランプに接続されている電源回路によって供給される高圧電流が確実に遮断されている必要がある。
【０００４】
そこで、電源回路をカットすることができるメカニカルスイッチを電源回路に取付けることによって、電源回路を遮断することができる回路が一般的に知られている。
【０００５】
また、その他にも、例えば、電源がオンされている場合にはヒューズカバーが開かず、ヒューズカバーが開いているときには電源をオンにすることができないこととしたヒューズ付開閉器に関するインターロック装置（例えば、特許文献１参照）を利用することも可能である。
【０００６】
また、ヒューズを電源回路に取付けたものとして、電源スイッチを備える電子機器であって、スイッチ本体にヒューズホルダ部の電極を設けて、スイッチ本体とヒューズホルダ部とを一体化した電源スイッチが知られている（例えば、特許文献２参照）。
【特許文献１】特開昭５３−４３８６２号公報
【特許文献２】特開昭６１−７０３５２号公報
【発明の開示】
【発明が解決しようとする課題】
【０００７】
しかしながら、電源回路にメカニカルスイッチを設けた場合、コストがかかるとともに、プロジェクタの筐体内部にメカニカルスイッチの取付けスペースを確保する必要があり、さらにはスイッチの誤作動の可能性が危惧されるという問題があった。
【０００８】
また、特許文献１の公知技術によっても、上記と同様に、ヒューズカバーの開閉を検知するための手段を設けなくてはならず、コストと誤作動の問題を解決することは出来なかった。さらに、特許文献２の公知技術では、単に電源回路にヒューズホルダを取付けただけであって、電源のオン／オフとヒューズの抜き取り／取付けとはなんら関連付けられておらず、この発明によっては、電源回路を遮断することができるものではなかった。
【０００９】
そこで、本発明の課題は、光源ランプの交換時に、より低コストで確実に電源回路を遮断することができるランプユニット及びプロジェクタを提供することである。
【課題を解決するための手段】
【００１０】
以上の課題を解決すべく、請求項１に記載の発明は、光源ランプから照射された光を変調させて投写するプロジェクタにおいて、機器本体内に配置され、前記光源ランプに電源からの電圧を供給してなる電源回路と、前記電源回路に、電極を介して接続されるヒューズと、前記機器本体に取付けられるとともに、前記光源ランプの交換時に取外される蓋部と、前記蓋部に設けられ、前記ヒューズを貫入させてなる貫入孔を備えた貫入部と、前記ヒューズの一方の端面が当接してなる当接部と、を備えた固定部によって前記ヒューズが固定され、前記蓋部に取付けられ、前記光源ランプに接続された電気配線部材に設けられた第１のコネクタ部と、前記機器本体に設けられ、前記第１のコネクタ部に着脱自在に取付けられる第２のコネクタ部と、前記機器本体内に備えられ、前記蓋部が取付けられた際に前記ヒューズを収納する収納部と、を備え、前記蓋部が前記機器本体に取付けられた際
に、前記固定部に固定された前記ヒューズが前記電極に電気的に接続され、前記蓋部が前記機器本体から取外された際に、前記第１のコネクタ部から前記第２のコネクタ部が取外されることを特徴とする。
【００１１】
請求項２に記載の発明は、電子機器の機器本体内に備えられるランプユニットであって、光源ランプと、前記光源ランプに電源からの電圧を供給してなる電源回路と、前記電源回路に、電極を介して接続されるヒューズと、前記機器本体に取付けられるとともに、前記光源ランプの交換時に取外される蓋部と、前記蓋部に設けられ、前記ヒューズを固定する固定部と、を備え、前記蓋部が前記機器本体に取付けられた際に、前記固定部に固定された前記ヒューズが前記電極に電気的に接続されることを特徴とする。
【００１２】
請求項３に記載の発明は、請求項２に記載のランプユニットにおいて、前記光源ランプに接続された電気配線部材に設けられた第１のコネクタ部が、前記蓋部に取付けられ、前記第１のコネクタ部に着脱自在に取付けられる第２のコネクタ部が、前記機器本体に設けられ、前記蓋部が前記機器本体から取外された際に、前記第１のコネクタ部から前記第２のコネクタ部が取外されることを特徴とする。
【００１３】
請求項４に記載の発明は、請求項２又は３に記載のランプユニットにおいて、前記蓋部が前記機器本体に取付けられた際に、前記ヒューズを収納する収納部を、前記機器本体内に備えることを特徴とする。
【００１４】
請求項５に記載の発明は、請求項２〜４の何れか一項に記載のランプユニットにおいて、前記固定部は、前記ヒューズを貫入させてなる貫入孔を備えた貫入部と、前記ヒューズの一方の端面が当接してなる当接部と、を備えることを特徴とする。
【発明の効果】
【００１５】
請求項1に記載の発明によると、蓋部が機器本体に取付けられた際に、蓋部に設けられ
た固定部に固定されたヒューズが電極に電気的に接続して電源回路に接続されることとなり、蓋部が機器本体から取外されることによっては、固定部に固定されたヒューズも電極から外れて、電源回路が遮断されることとなる。
【００１６】
これにより、光源ランプの交換時に蓋部を取外すことによって、確実に電源回路を遮断することができる。
【００１７】
また、蓋部が機器本体に取付けられることによって、ヒューズが電極に接続して電源回路が通電状態となり、蓋部が機器本体から取外されることによって、ヒューズが電極から外されて電源回路が遮断されることとなる。
【００１８】
これにより、蓋部の機器本体への取付け及び取外し動作が、電源回路を通電状態若しくは遮断状態とするためのスイッチとしての機能を果たすこととなるため、電源回路にメカニカルなスイッチを設ける必要がなくなって、より低コストで確実に電源回路を遮断することができる。
【００１９】
さらに、蓋部が機器本体から取外されことによって、蓋部に取付けられた第１のコネクタ部から機器本体に設けられた第２のコネクタ部が取外されることとなる。
【００２０】
これにより、蓋部が機器本体から取外されることによって、ヒューズが電源回路より取外されて電源回路が遮断されるのと同時に、第１のコネクタ部から第２のコネクタ部が取外されて光源ランプが消灯されることとなって、安全性をより向上させることができる。
【００２１】
その上、蓋部が機器本体に取付けられた際に、電極が収納部に収納され、一方、蓋部が機器本体から取外された際、即ち、電極にヒューズが接続していない際には、収納部があることにより、電極が露出しないこととなって、指等が電極に接触する可能性を低減することができ、安全性を高めることができる。
【００２２】
そして、蓋部が機器本体に取付けられる際に、収納部がガイドとして機能し、ヒューズをスムーズに電極に接続させることができる。
【００２３】
その上、固定部が、貫入部と当接部とを備え、ヒューズが貫入部の貫入孔に貫入されて、ヒューズの端面が当接部に当接されることにより固定されることとなり、接着剤等を用いることなくヒューズを固定部に固定することができ、容易にヒューズを固定部から取外し、又は取付けることができる。
【００２４】
請求項２に記載の発明によると、蓋部が機器本体に取付けられた際に、蓋部に設けられた固定部に固定されたヒューズが電極に電気的に接続して電源回路に接続されることとなり、蓋部が機器本体から取外されることにより、固定部に固定されたヒューズも電極から外れて、電源回路が遮断されることとなる。
【００２５】
これにより、光源ランプの交換時に蓋部を取外すことによって、確実に電源回路を遮断することができる。
【００２６】
また、蓋部が機器本体に取付けられることにより、ヒューズが電極に接続して電源回路が通電状態となり、蓋部が機器本体から取外されることにより、ヒューズが電極から外されて電源回路が遮断されることとなる。これにより、蓋部の機器本体への取付け及び取外し動作が、電源回路を通電状態若しくは遮断状態とするためのスイッチとしての機能を果たすこととなるため、電源回路にメカニカルなスイッチを設ける必要がなくなって、より低コストで確実に電源回路を遮断することができる。
【００２７】
請求項３に記載の発明によると、請求項２に記載の発明の効果が得られるのは無論のこと、特に、蓋部が機器本体から取外されることによって、蓋部に取付けられた第１のコネクタ部から機器本体に設けられた第２のコネクタ部が取外されることとなる。
【００２８】
これにより、蓋部が機器本体から取外されることによって、ヒューズが電源回路より取外されて電源回路が遮断されるのと同時に、第１のコネクタ部から第２のコネクタ部が取外されて光源ランプが消灯されることとなって、安全性をより向上させることができる。
【００２９】
請求項４に記載の発明によると、請求項２又は３に記載の発明の効果が得られるのは無論のこと、特に、蓋部が機器本体に取付けられた際に、電極が収納部に収納され、一方、蓋部が機器本体から取外された際、即ち、電極にヒューズが接続していない際には、収納部によって電極が露出しないこととなって、指等が電極に接触する可能性を低減することができ、安全性を高めることができる。
【００３０】
さらに、蓋部が機器本体に取付けられる際に、収納部がガイドとして機能し、ヒューズをスムーズに電極に接続させることができる。
【００３１】
請求項５に記載の発明によると、請求項２〜４の何れか一項に記載の発明の効果が得られるのは無論のこと、特に、固定部が、貫入部と当接部とを備え、ヒューズが貫入部の貫入孔に貫入されて、ヒューズの端面が当接部に当接されることにより固定されることとなる。
【００３２】
これにより、接着剤等を用いることなくヒューズを固定部に固定することができ、容易にヒューズを固定部から取外し、又は取付けることができる。
【発明を実施するための最良の形態】
【００３３】
［実施形態１］
次に、本発明の第１の実施形態を、図面を参照しながら詳細に説明する。ただし、発明の範囲は図示例に限られない。
【００３４】
以下に、本発明のランプユニットを備える電子機器としてのプロジェクタについて、ランプユニット１を備えるプロジェクタ１００を用いて説明する。
【００３５】
図１は、画像データに基づいて、光源ランプから照射された光を変調させて投写するプロジェクタ１００の概略斜視図である。
【００３６】
プロジェクタ１００は、図１に示すように、例えば、光源ランプ１１１を備えるランプ
ユニット１と、当該ランプユニット１から照射された光を透過させるためのレンズアレイ（図示省略）と、当該レンズアレイを透過した光を反射させるための複数のミラー（図示省略）と、これらミラーによって反射された光をＲ（赤）、Ｇ（緑）、Ｂ（青）の各色に分解するためのダイクロイックミラー（図示省略）と、当該ダイクロイックミラーによって分解されたＲＧＢ各色の光を反射させるためのＲ用液晶パネル（図示省略）、Ｇ用液晶パネル（図示省略）、Ｂ用液晶パネル（図示省略）と、ＲＧＢ３色の光を合成して画像を形成するためのプリズム（図示省略）と、当該プリズムによって合成された画像を拡大するための投写レンズ２と、等を備えて構成される。
【００３７】
さらに、プロジェクタ１００は、コンピュータ接続用ケーブル（図示省略）を備え、外部機器としての外部コンピュータ（図示省略）と電気的に接続している。そして、プロジェクタ１００内に内蔵された内部メモリ（図示省略）の情報を書き換え可能に構成され、さらに、プロジェクタ１００内部に内蔵された制御部（図示省略）より、当該内部メモリに記憶された画像データを光源ランプ１１１に出力することによって、光源ランプ１１１から照射された光を変調させて画像を投写する。
【００３８】
これらの各部品は、プロジェクタ１００の化粧筐体１０１の内部に設けられる。化粧筐体１０１は、外形が底浅の直方体形状となっており、蓋部（後述する）が取付けられる底面１０１ａと、投写レンズ２が取付けられる前面１０１ｂなどを備えて構成される。
【００３９】
化粧筐体１０１には、ランプユニット１を収納する機器本体としての外カバー１０２が取付けられている。より具体的には、外カバー１０２は、化粧筐体１０１にネジやビス（図示省略）によって固定される。
【００４０】
外カバー１０２には、光源ランプ１１１を点灯させるための専用電源であるバラスト基板（図示省略）に電気的に接続してなる電気配線部材であるバラスト電源用ケーブル３が取付けられている。
【００４１】
また、ランプユニット１は、図１及び図２に示すように、外カバー１０２内に収納されるランプ部１１と、ランプ部１１への電源を供給するための電源回路を備える基板部１２と、ランプ部１１及び基板部１２の底部を覆うカバー部１３と、等を備えて構成される。
【００４２】
尚、図２においては、ランプ部１１及び基板部１２の一部を外カバー１０２の外に露出させているが、これは説明を容易にするためであって、実際には、ランプ部１１及び基板部１２は外カバー１０２の内部に設けられている。
【００４３】
外カバー１０２の内側には、ランプ部１１を外カバー１０２内部に導入するためのガイドレール（図示省略）が形成されている。
【００４４】
ランプ部１１は、外カバー１０２の内側に設けられたガイドレール（図示省略）と嵌合可能なガイド（図示省略）を備える。そして、ランプ部１１のガイドを外カバー１０２のガイドレールに嵌合させてスライドすることにより、ランプ部１１を外カバー１０２に挿入したり、外カバー１０２から取外したりすることができるようになっている。ランプ部１１を外カバー１０２に取付けるためには、ガイドレールに沿ってランプ部１１を外カバー１０２に挿入した上で、ビスやネジ（図示省略）等の好適な手段によって、外カバー１０２に固定する。
【００４５】
ランプ部１１は、光源ランプ１１１と、当該光源ランプ１１１を内部に収納してなる耐熱筐体１１２と、光源ランプ１１１と接続してなる電気配線部材としてのケーブル１１３と、等を備えて構成される。
【００４６】
光源ランプ１１１は、プロジェクタ１００が投写する投写光の光源となるものであって、例えば、超高圧水銀ランプを用いることができる。
【００４７】
超高圧水銀ランプは超高圧水銀灯を用いた光源ランプであって、内蔵された電極間の距
離が約１〜２ｍｍと非常に短いことより、光源ランプを設けるスペースが限られるプロジェクタ１００においては、特に好適に用いることができる。尚、超高圧水銀ランプの他にも、適宜好適な光源ランプを用いることができる。
【００４８】
光源ランプ１１１は、化粧筐体１０１の前面１０１ｂ方向に光を照射するように配される。
【００４９】
耐熱筐体１１２は、断熱性を備えた樹脂等によって形成される。耐熱筐体１１２は、駆動時に高温となる光源ランプ１１１の周辺に位置する機器や部品等を、光源ランプ１１１の発する熱から保護するためのボックス型の筐体である。耐熱筐体１１２は、光源ランプ１１１が光を照射する方向に開口してなる。
【００５０】
ケーブル１１３は、光源ランプ１１１に、当該光源ランプ１１１を点灯させるための専用電源であるバラスト電源（図示省略）に接続されたバラスト基板（図示省略）からの電圧を供給するための部材であって、樹脂被膜で覆われた導線を帯状に束ねた形状からなる。
【００５１】
ケーブル１１３は、耐熱筐体１１２の背面から導出されているとともに、外カバー１０２の側面に設けられた切欠部１０２ａを通って外カバー１０２の外に延出している。
【００５２】
ケーブル１１３の一方の端部には、光源ランプ１１１に設けられたメスコネクタ（図示省略）に差し込まれたオスコネクタ（図示省略）が圧接され、ケーブル１１３の他方の端部には、第1のコネクタ部としてのコネクタ部１１４が圧接されている。
【００５３】
コネクタ部１１４は、バラスト基板に接続され、外カバー１０２に取付けられて、外カバー１０２の側面から導出されたバラスト電源用ケーブル３の端部に圧接された、第２のコネクタ部としてのソケット部３１と着脱自在に構成される。
【００５４】
ケーブル１１３と、バラスト電源用ケーブル３とは、コネクタ部１１４とソケット部３１を介して接続され、これによりバラスト基板と光源ランプ１１１とが電気的に接続される。
【００５５】
基板部１２は、基板に、光源ランプ１１１に電源からの電圧を供給するための電源回路が設けられた電源回路部１２１と、電源回路部１２１に取付けられたＡ／Ｃインレット１２２と、同様に電源回路部１２１に設けられたホルダ部１２３と、収納部１２４と、等を備えて構成される。
【００５６】
電源回路部１２１は、電源からの電圧を供給する電源線（図示省略）に接続されており、耐熱筐体１１２の背面、即ち光源ランプ１１１の照射面の後ろ側に、回路が形成された面を化粧筐体１０１の底面１０１ａ側に向けて、外カバー１０２に、ネジやビス（図示省略）等の好適な手段によって固定される。
【００５７】
Ａ／Ｃインレット１２２は、電源ケーブルを差し込むための差込口１２２ａを備え、Ａ／Ｃインレット１２２を介して電源からの電圧が電源回路部１２１に供給される。
【００５８】
Ａ／Ｃインレット１２２は、電源回路部１２１に形成された電源回路上に電気的に接続されるように設けられ、差込口１２２ａがランプユニット１の背面側を向くように固定される。
【００５９】
ホルダ部１２３は、ヒューズＨを保持するために、電源回路部１２１に形成された電源回路上に、導電性金属からなる二枚の挟持板１２３ａを二組設けることにより構成される。挟持板１２３ａは鍵爪形状からなり、二枚の挟持板１２３ａの鍵爪の凹面を対向させて、電源回路上に起立して配置される。二枚の挟持板１２３ａは、それぞれ電源回路部１２１と電気的に接続されており、電極として機能する。
【００６０】
二組の狭持板１２３ａがヒューズＨの両端を二つの挟持板１２３ａで挟んだ際に撓むことによって生じた弾性力により、ヒューズＨがホルダ部１２３に固定されるようになって
いる。
【００６１】
そして、挟持板１２３ａがヒューズＨを挟持してホルダ部１２３にヒューズＨが取付けられることによって、電源回路部１２１の電源回路が通電状態となり、挟持板１２３ａがヒューズＨを離してヒューズＨがホルダ部１２３から取外されることによって、電源回路が遮断状態となる。
【００６２】
収納部１２４は、電源回路部１２１に形成された電源回路上に、ホルダ部１２３の周囲を取り囲むように設けられ、化粧筐体１０１の底面１０１ａ方向に開口する。
【００６３】
より具体的には、収納部１２４は、カバー部１３が外カバー１０２を介して化粧筐体１０１に取付けられた際に、カバー部１３に備えられた固定部１３２（後述する）と、当該固定部１３２に取付けられたヒューズＨを収納可能に構成されている。
【００６４】
カバー部１３は、外カバー１０２に着脱可能に設けられる蓋部１３１と、蓋部１３１に設けられ、ヒューズＨを固定してなる固定部１３２と、等を備えて構成される。
【００６５】
蓋部１３１は、平面視略矩形の板状部材からなり、ランプユニット１の底面を構成するように、外カバー１０２の底面１０１ａ側に取付けられる。具体的には、蓋部１３１は、電源回路が形成された電源回路部１２１の基板と平行となるように配され、外カバー１０２にビスやネジ（図示省略）等の好適な手段によって取付けられる。
【００６６】
蓋部１３１は、光源ランプ１１１の交換時等に取外され、光源ランプ１１１を交換した後に再び取付けられる。
【００６７】
固定部１３２は、蓋部１３１が外カバー１０２に取付けられた際に、電源回路部１２１の、電源回路が形成された面と対向する平面に取付けられる。
【００６８】
固定部１３２は、ヒューズＨを貫入させてなる貫入孔１３３を備える貫入部１３４と、ヒューズＨを貫入部１３４の貫入孔１３３に貫入させた場合に、ヒューズＨの一方の端面が当接してなる当接部１３５と、等を備えて構成される。貫入孔１３３は、貫入部１３４の上方に設けられ、貫入孔１３３の直径は、ヒューズＨの直径に略等しく形成される。
【００６９】
貫入部１３４と当接部１３５とは、互いの平面を対向させて配置され、ヒューズＨの長さの略半分の長さの間隔を設けて蓋部１３１に取付けられる。
【００７０】
ヒューズＨは、異常電流が発生した際に、電源回路を遮断して、ランプユニット１を保護するための安全装置であって、例えば、電源回路のショートや各種回路部品の故障などに起因する過電流によって生じるランプユニット１の発熱を感知し、周囲の発熱によって可溶体が溶断することにより回路を遮断する温度ヒューズや、過電流による自己発熱を利用してヒューズエレメントを溶断し、回路を遮断させる電流ヒューズ等、適宜好適なヒューズを用いることができる。本実施形態においては、温度ヒューズを用いた。
【００７１】
ヒューズＨは、例えば、２本のリード線間に易融合金を可溶体として接合し、当該可溶体が内部に収まるようにセラミック管に挿入し、セラミック管の両端を樹脂で封止したものである。
【００７２】
従って、ヒューズＨの両端部分はリード線からなる導電部Ｈ１、Ｈ１によって構成され、ヒューズＨの中央部分はセラミック管からなる絶縁部Ｈ２によって構成される。
【００７３】
ヒューズＨは、貫入部１３４の貫入孔１３３に差し込まれて、当接部１３５に一方の導電部Ｈ１の端部を当接させて固定部１３２に取付けられる。即ち、ヒューズＨの絶縁部Ｈ２の一部が貫入部１３４で覆われた状態であって、両端に設けられた二つの導電部Ｈ１、Ｈ１は貫入部１３４より露出した状態で固定部１３２に取付けられる。
【００７４】
従って、蓋部１３１が外カバー１０２に取付けられている場合には、ヒューズＨの両端に形成された導電部Ｈ１、Ｈ１がそれぞれ２枚の狭持板１２３ａによって狭持されること
によって、ヒューズＨがホルダ部１２３に保持されてなる。この場合、電極としての狭持板１２３ａとヒューズＨの導電部Ｈ１が電気的に接続されて、電源回路は通電状態となる。
【００７５】
一方、光源ランプ１１１の交換時などにおいて、蓋部１３１が外カバー１０２から取外されると、蓋部１３１がプロジェクタ１００の底面１０１ａ方向に引き抜かれ、これに連動して、蓋部１３１に固定された固定部１３２に取付けられたヒューズＨがホルダ部１２３より取外されて、電源回路が遮断状態となる。
【００７６】
投写レンズ２は、プリズムによって合成された画像を拡大して、スクリーン（図示省略）等に目的の画像を形成する。投写レンズとしては、球面レンズや非球面レンズ等を用いることができ、その他の好適なレンズやミラーを適用することができる。本実施形態においては、球面レンズを用いた。投写レンズ２は、球面レンズの凸面が化粧筐体１０１の前面１０１ｂより露出するように設けられる。
【００７７】
以上に説明したプロジェクタ１００によっては、蓋部１３１が外カバー１０２に取付けられた際に、蓋部１３１に設けられた固定部１３２に固定されたヒューズＨが電極としての狭持板１２３ａに電気的に接続して電源回路部１２１に設けられた電源回路に接続されることとなり、蓋部１３１が外カバー１０２から取外されることにより、固定部１３２に固定されたヒューズＨも狭持板１２３ａから外れて、電源回路が遮断されることとなる。これにより、光源ランプ１１１の交換時に蓋部１３１を取外すことによって、確実に電源回路を遮断することができる。
【００７８】
また、蓋部１３１が外カバー１０２に取付けられることにより、ヒューズＨが電極としての狭持板１２３ａに接続して電源回路部１２１に設けられた電源回路が通電状態となり、蓋部１３１が外カバー１０２から取外されることにより、ヒューズＨが電極から外されて電源回路が遮断されることとなる。これにより、蓋部１３１の外カバー１０２への取付け及び取外し動作が、電源回路を通電状態若しくは遮断状態とするためのスイッチとしての機能を果たすこととなるため、電源回路にメカニカルなスイッチを設ける必要がなくなって、より低コストで確実に電源回路を遮断することができる。
【００７９】
さらに、蓋部１３１が外カバー１０２に取付けられた際に、電極としての狭持板１２３ａが収納部１２４に収納され、一方、蓋部１３１が外カバー１０２から取外された場合、即ち、電極にヒューズＨが接続していない場合には、収納部１２４によって電極が露出しないこととなって、指等が電極に接触する可能性を低減することができ、安全性を高めることができる。
【００８０】
その上、蓋部１３１が外カバー１０２に取付けられる際に、収納部１２４がガイドとして機能し、ヒューズＨをスムーズに電極にとしての狭持板１２３ａに接続させることができる。
【００８１】
そして、固定部１３２が、貫入部１３４と当接部１３５とを備え、ヒューズＨが貫入部１３４の貫入孔１３３に貫入されて、ヒューズＨの端面が当接部１３５に当接されることにより固定されることとなり、接着剤等を用いることなくヒューズＨを固定部１３２に固定することができ、容易にヒューズＨを固定部１３２から取外し、又は取付けることができる。
【００８２】
［実施形態２］
次に、本発明の第２の実施形態を、図面を参照しながら詳細に説明する。ただし、発明の範囲は図示例に限られない。尚、プロジェクタ１００と同一の構成については、同一の符号を付し、説明を省略する。
【００８３】
以下に、本発明のランプユニットを備える電子機器としてのプロジェクタについて、図３及び図４を参照し、ランプユニット４を備えるプロジェクタ２００を用いて説明する。
【００８４】
ランプユニット４は、プロジェクタ２００の機器本体を構成する化粧筐体１０１の内部
に設けられる。より具体的には、化粧筐体１０１に、ネジやビス（図示省略）によって固定される外カバー１０２の内部に取付けられる。
【００８５】
外カバー１０２には、光源ランプ１１１を点灯させるための専用電源であるバラスト電源（図示省略）のバラスト基板（図示省略）に電気的に接続してなる電気配線部材であるバラスト電源用ケーブル３が取付けられており、バラスト電源用ケーブル３の一方の端部には、ソケット部３１が圧接されている。バラスト電源用ケーブル３は、外カバー１０２の、化粧筐体１０１に面する側の側面から導出されている。
【００８６】
ランプユニット４は、光源ランプ１１１に電源からの電圧を供給するための電源回路が設けられた基板部１２と、外カバー１０２に取付けられることによって、ランプユニット４の底部を覆うカバー部４３と、等を備えて構成される。図３においては、基板部１２は外カバー１０２の内部に取付けられている。
【００８７】
カバー部４３は、外カバー１０２に着脱可能に設けられる蓋部１３１と、当該蓋部１３１に取付けられた、光源ランプ１１１と、当該光源ランプ１１１を内部に収納してなる耐熱筐体１１２と、光源ランプ１１１と接続してなる電気配線部材としてのケーブル１１３と、ヒューズＨを固定してなる固定部１３２と、光源ランプ１１１と接続してなるケーブル１１３の先端に圧接されたコネクタ部１１４を固定してなる取付部４３６と、等を備えて構成される。
【００８８】
取付部４３６は、平面視略矩形状の板状部材からなり、コネクタ部１１４を蓋部１３１に取付けてなる。
【００８９】
具体的には、コネクタ部１１４は、蓋部１３１の、固定部１３２が取付けられてなる面にビスやネジ（図示省略）等によって取付けられ、コネクタ部１１４の差込口の差込面が上方を向き、蓋部１３１の平面と平行となるように取付けられる。従って、コネクタ部１１４が圧接されてなるケーブル１１３は１８０°ひねられた形で蓋部１３１に設置される。
【００９０】
当該コネクタ部１１４に、バラスト電源用ケーブル３の端部に圧接されたソケット部３１が差し込まれることによって、バラスト基板（図示省略）と、光源ランプ１１１とが電気的に接続された状態となる。
【００９１】
従って、光源ランプ１１１の交換時などにおいて、蓋部１３１が外カバー１０２から取外されると、蓋部１３１が底面方向に引き抜かれ、これに連動して、蓋部１３１に固定された光源ランプ１１１が取外される。このとき、蓋部１３１に固定されたコネクタ部１１４も一体的に取外されるため、ソケット部３１よりコネクタ部１１４が自動的に取外される。
【００９２】
以上に説明したプロジェクタ２００によると、蓋部１３１を取外すことによって、これと一体的に、蓋部１３１に取付けられたコネクタ部１１４から、外カバー１０２に設けられたソケット部３１が取外されることとなる。
【００９３】
これにより、蓋部１３１が外カバー１０２から取外されることによって、ヒューズＨが基板部１２に形成された電源回路より取外されて電源回路が遮断されるのと同時に、コネクタ部１１４からソケット部３１が自動的に取外されて光源ランプ１１１が消灯されることとなって、安全性をより向上させることができる。
【００９４】
尚、外カバー１０２は必ずしも必要ではなく、直接化粧筐体にランプユニットを取付けることとしても構わない。この場合、光源ランプに冷却機構が備えられていることが好ましい。
【図面の簡単な説明】
【００９５】
【図１】本発明の第１の実施形態における、プロジェクタ１００の概略斜視図である。
【図２】ランプユニット１の周辺構造を説明するための概略斜視図である。
【図３】本発明の第２の実施形態における、プロジェクタ２００の概略斜視図である。
【図４】ランプユニット４の周辺構造を説明するための概略斜視図である。
【符号の説明】
【００９６】
１  ランプユニット
１１  ランプ部
１１１  光源ランプ
１１２  耐熱筐体
１１３  ケーブル（電気配線部材）
１１４  コネクタ部（第１のコネクタ部）
１２  基板部
１２１  電源回路部
１２２  Ａ／Ｃインレット
１２３  ホルダ部
１２３ａ  狭持板（電極）
１２４  収納部
１３  カバー部
１３１  蓋部
１３２  固定部
１３３  貫入孔
１３４  貫入部
１３５  当接部
３  バラスト電源用ケーブル
３１  ソケット部（第２のコネクタ部）
１００  プロジェクタ（電子機器）
１０１  化粧筐体
１０２  外カバー（機器本体）
４  ランプユニット
４３  カバー部
４３６  固定部
２００  プロジェクタ
【図１】
2006215138.tif 000003
【図２】
2006215138.tif 000004
【図３】
2006215138.tif 000005
【図４】
2006215138.tif 000006